(57)【要約】【課題】縦通しの意匠を有すると共に、容易に形成することができる建具体を備えた建具とすることである。【解決手段】建具枠１に建具体２を開閉自在に取付けた建具であって、前記建具体２は、左右の縦框（機能縦框３０）と、左右の縦框間に設けられる中間意匠部材２０を備え、前記中間意匠部材２０は、前記左右の縦框の一方の縦框に隣接する少なくとも１つの意匠縦材２１と、当該意匠縦材２１に隣接する意匠部２２を備え、前記意匠縦材２１と前記一方の縦框は、長手方向全長に亘って接合して固着し、両者の境目４が建具体２の縦方向全長に亘って連続し、建具体２を縦通しの意匠とする。また、意匠縦材２１と縦框を長手方向全長に亘って接合して固着すれば良く、従来のように面倒な加工が不要であるから、建具体２を容易に形成できる。【選択図】図１
2008038553.tif 000002
【特許請求の範囲】
【請求項１】
建具枠に建具体を開閉自在に取付け、
前記建具体は、左右の縦框と、左右の縦框間に設けられる中間意匠部材を備え、
前記中間意匠部材は、前記左右の縦框の一方の縦框に隣接する少なくとも１つの意匠縦材と、当該意匠縦材に隣接する意匠部を備え、
前記意匠縦材と前記一方の縦框は、長手方向全長に亘って接合して固着したことを特徴とする建具。
【請求項２】
前記中間意匠部材は、左の縦框に隣接する左の意匠縦材と、右の縦框に隣接する右の意匠縦材を備えており、
前記意匠部が前記左右の意匠縦材間に設けられて、前記中間意匠部材を構造体とした請求項１記載の建具。
【請求項３】
縦框の意匠縦材側端部と意匠縦材の縦框側端部を、相互に嵌まり合う凹凸形状とした請求項１又は２記載の建具。
【請求項４】
縦框の意匠縦材側端部を凸部とし、意匠縦材の縦框側端部を、前記凸部が嵌まり合う凹部とし、
前記凸部の端面と前記凹部の底面が接し、その接した部分を固着具で固着するようにした請求項３記載の建具。
【発明の詳細な説明】
【技術分野】
【０００１】
本発明は、玄関ドアなどの建具に関するものである。
【背景技術】
【０００２】
建具は、建具枠に建具体を開閉自在に取付けたもので、この建具としては、例えば特許文献１に開示された玄関ドアが知られている。
この玄関ドアは、建具枠であるドア枠に建具体である扉を開閉自在に取付けてある。
前述の扉は、左右の縦框と上框、下框を連結して方形状の扉本体とし、この扉本体にパネルを装着してある。
近年、扉の意匠が重要視され、使用者の好みに合った種々の意匠の扉が提案されている。
例えば、特許文献２に開示されたように、縦通しの意匠の扉が提案されている。
【０００３】
【特許文献１】実開昭５５−７１２８４号公報
【特許文献２】意匠登録第１１７４９２６号公報
【発明の開示】
【発明が解決しようとする課題】
【０００４】
前述した従来の縦通しの意匠の扉は、左右の縦框と上框、下框を連結した方形状の扉本体に、左右の意匠縦材を備えた中間意匠部材を取付け、その左右の意匠縦材の長手方向全長が左右の縦框と隣接し、その縦框と意匠縦材の境目が扉の縦方向に連続するようにして縦通しの意匠の扉としている。
しかし、前述の縦通しの意匠の扉は、方形状の扉本体を構造体とし、その扉本体の上框、下框の縦框側の表面上に中間意匠部材の左右の意匠縦材が重なるように配置されている。したがって、意匠縦材の内部は上框、下框が貫通する構成となっており、そのために上框、下框が貫通可能な開口等を意匠縦材に形成する加工が必要であった。
つまり、従来、縦框に隣接する意匠縦材を有する中間意匠部材を備えた扉は、左右の縦框と上框、下框と直接連結されているため、特許文献２のように意匠縦材の幅方向全長（見付け方向全長）に亘って上框、下框を貫通するための煩雑な加工が必要で、その扉を形成するのが面倒であった。
【０００５】
本発明の目的は、縦通しの意匠を有すると共に、容易に形成することができる建具体を備えた建具とすることである。
【課題を解決するための手段】
【０００６】
本発明は、建具枠に建具体を開閉自在に取付け、
前記建具体は、左右の縦框と、左右の縦框間に設けられる中間意匠部材を備え、
前記中間意匠部材は、前記左右の縦框の一方の縦框に隣接する少なくとも１つの意匠縦材と、当該意匠縦材に隣接する意匠部を備え、
前記意匠縦材と前記一方の縦框は、長手方向全長に亘って接合して固着したことを特徴とする建具である。
【０００７】
本発明の建具においては、前記中間意匠部材は、左の縦框に隣接する左の意匠縦材と、右の縦框に隣接する右の意匠縦材を備えており、
前記意匠部が前記左右の意匠縦材間に設けられて、前記中間意匠部材を構造体とすることが可能である。
このようにすれば、左右の縦框と左右の意匠縦材の境目が建具本体の縦方向全長に連続するので、建具体がスッキリとした縦通しの意匠である。
また、中間意匠部材をあらかじめ作成して構造体とし、その左右の意匠縦材に左右の縦框を接合して固着することで建具体を組み立てできるので、その中間意匠部材の大きさ、形状を任意なものとすることができ、任意の大きさ、形状の中間意匠部材を備えた建具体とすることができる。
【０００８】
本発明の建具においては、縦框の意匠縦材側端部と意匠縦材の縦框側端部を、相互に嵌まり合う凹凸形状とすることができる。
このようにすれば、縦框と意匠縦材が厚さ方向に容易に位置決め可能となる。
【０００９】
本発明の建具においては、縦框の意匠縦材側端部を凸部とし、意匠縦材の縦框側端部を、前記凸部が嵌まり合う凹部とし、
前記凸部の端面と前記凹部の底面が接し、その接した部分を固着具で固着することができる。
このようにすれば、縦框と意匠縦材を厚さ方向に位置決めして強固に連結することができる。
【発明の効果】
【００１０】
本発明によれば、左右一方の縦框と意匠縦材の境目が建具体の縦方向全長に連続するので、建具体がスッキリとした縦通しの意匠である。
また、左右の縦框と、左右の縦框の一方に隣接する意匠縦材とが直接連結されているため、上框、下框を貫通するための加工を意匠縦材の幅方向全長（見付け方向全長）に亘って行う必要がなく、縦框に隣接する意匠縦材を有する中間意匠部材を備えた縦通しの意匠の建具体を容易に形成できる。
【発明を実施するための最良の形態】
【００１１】
図１に示すように、建具枠１に建具体２を開閉自在に取付けて建具としてある。
前記建具枠１は上枠１０と下枠１１と左右の縦枠１２を方形状に連結してある。
前記建具体２は、中間意匠部材２０と左右の縦框である機能縦框３０，３０を備えている。
前記左右一方の機能縦框３０が左右一方の縦枠１２にヒンジ３で開閉自在に取付けられ、左右他方の機能縦框３０に図示しないハンドルが取付けられる。
要するに、前記左右の機能縦框３０とは、建具体２を建具枠１に開閉自在に取付けると共に、開閉操作するためのものである。
図１に示す実施の形態では、建具枠１はドア枠で、建具本体２が扉であって、建具はドアである。以下、ドア枠１、扉２、ドアとして説明する。
【００１２】
前記中間意匠部材２０は、左右の意匠縦材２１，２１と、この左右の意匠縦材２１，２１間に設けた意匠部２２を備え、この中間意匠部材２０を構造体としている。
この意匠部２２は、上横材２３と下横材２４とガラスなどのパネル２６を有して構成されており、左右の意匠縦材２１間に上横材２３と下横材２４を連結して開口部２５を形成し、その開口部２５にパネル２６を装着してある。
前記意匠縦材２１、機能縦框３０は、所定の幅（扉見付け方向の寸法）と所定の厚さ（扉見込み方向の寸法）と所定の長さを有し、その意匠縦材２１と機能縦框３０は同一の長さで、扉（建具体）の縦方向全長（上下寸法）と同一長さである。
【００１３】
そして、前記左右の意匠縦材２１と左右の機能縦框３０は長手方向全長に亘って接合し、その左右の機能縦框３０を左右の意匠縦材２１に固着具で固着して取付けてある。この固着具は意匠縦材２１、機能縦框３０の幅方向に向かうと共に、外部から見えないようにしてある。
これによって、意匠縦材２１と機能縦框３０の境目４は扉の縦方向全長に連続し、スッキリとした縦通しの意匠の扉とすることができる。
【００１４】
また、図２に示すように、中間意匠部材２０を作成した後に、その左右の意匠縦材２１に左右の機能縦框３０をそれぞれ固着して取付けできるので、その中間意匠部材２０を基本構成として扉を組み立てることができる。
したがって、任意の大きさ、形状の中間意匠部材２０を作成し、その左右の意匠縦材２１に左右の機能縦框３０を固着することで扉とすることができ、任意の大きさ、形状の中間意匠部材２０を備えた扉とすることができる。
【００１５】
次に、扉の具体形状を説明する。
図３に示すように、意匠縦材２１の幅方向一端部（機能縦框３０と固着される縦框側端部）２１ａと、機能縦框３０の幅方向一端部（意匠縦材２１と固着される意匠縦材側端部）３０ａは、相互に嵌まり合う凹凸形状である。
例えば、意匠縦材２１の幅方向一端部２１ａを凸部２７とし、機能縦框３０の幅方向一端部３０ａを凹部３１とし、その凸部２７と凹部３１が嵌まり合うようにしてある。
【００１６】
前記凸部２７は、意匠縦材２１の正面２１ｂ、背面２１ｃ（つまり、厚さ方向の両面）と連続した一対の段差面２７ａ，２７ａと、この一対の段差面２７ａ，２７ａと連続した一対の側面２７ｂ，２７ｂと、この一対の側面２７ｂ，２７ｂを連続する端面２７ｃで形成されている。前記一対の段差面２７ａは厚さ方向に向かい、前記一対の側面２７ｂは幅方向に向かい、前記端面２７ｃは厚さ方向に向かう。
前記凹部３１は、機能縦框３０の厚さ方向両側の一対の内面３１ａ，３１ａと、この一対の内面３１ａ，３１ａを連続する底面３１ｂで幅方向一端面に開口した形状で、その凹部３１の開口端には厚さ方向一対の支持片３１ｃが厚さ方向に向けて一体的に設けてある。
そして、凸部２７の端面２７ｃと凹部３１の底面３１ｂが接すると共に、凸部２７の両側面２７ｂが一対の支持片３１ｃの先端面に接して凸部２７と凹部３１が嵌まり合っている。
前記支持片３１ｃと前記段差面２７ａが対向し、その両者の間が機能縦框３０と意匠縦部材２１の境目４としてある。
そして、意匠縦材２１の正面２１ｂ、背面２１ｃと機能縦框３０の正面３０ｂ、背面３０ｃは面一となっている。すなわち、意匠縦材２１の縦框側端部と機能縦框３０の意匠縦材側端部が相互に嵌まり合うことで厚さ方向に位置決めされるので、両者の正面、背面の境目４側端部の厚さ方向の位置（見込み方向の位置）を同じにすることができる。したがって、両者の正面、背面を確実に面一にできる。
【００１７】
そして、図４に示すように意匠縦材２１の幅方向一端部２１ａと機能縦框３０の幅方向一端部３０ａ、つまり嵌まり合った部分が固着具４０で固着される。これによって、強固に固着して連結できる。
例えば、意匠縦材２１の凸部２７の端面２７ｃと機能縦框３０の凹部３１の底面３１ｂを接し、両者を固着具４０、例えばビスで固着する。
図４においては、意匠縦材２１を中空形状で、凸部２７をその中空部と連続したコ字状部を有する形状とし、その内部に第１連結金具４１を設け、機能縦框３０の凹部３１の底面３１ｂと隣接した中空部３０ｄに第２連結金具４２を設け、この第２連結金具４２から一対の固着具４０を底面３１ｂ部分、端面２７ｃ部分を挿通して第１連結金具４１にそれぞれ螺合して固着してある。
このように、第１・第２連結金具４１，４２を用いて固着することで、意匠縦材２１と機能縦框３０を強固に固着して連結できる。
【００１８】
図３に示すように、前記意匠縦材２１の幅方向他端部（前記開口部２５を形成する端部）２１ｄは凹部５０としてある。
図５に示すように、前記上横材２３の下端部（前記開口部２５を形成する端部）２３ａ、前記下横材２４の上端部（前記開口部２５を形成する端部）２４ａも前述と同様に凹部５０としてある。
この各凹部５０にパネル装着用のアタッチメント５１がそれぞれ嵌め込んで取付けてある。
前記各アタッチメント５１はパネル装着用溝５２を有し、そのパネル装着用溝５２にパネル２６がガスケット５３を介在してそれぞれ装着してある。
【００１９】
前記各凹部５０は、厚さ方向両側の一対の内面５０ａと、その一対の内面５０ａを連続する底面５０ｂとで内方に開口し、その開口端には一対の支持片５０ｃが厚さ方向に向けて一体的に設けてある。
図４に示すように、前記意匠縦材２１の厚さ方向の寸法（見込み寸法）Ｈ１は上横材２３、下横材２４の厚さ方向の寸法（見込み寸法）Ｈ２よりも大きく、意匠縦材２１の凹部５０の一対の支持片５０ｃを切断して除去することで、その凹部５０に上横材２３、下横材２４が嵌合するようにしてある。
【００２０】
このように、意匠縦材２１の厚さ方向の寸法Ｈ１が上・下横材２３，２４の厚さ方向の寸法Ｈ２よりも大きいので、意匠縦材２１の凹部５０に設けた一対の支持片５０ｃの厚さ方向の長さ（突出長さ）を上・下横材２３，２４の凹部５０に設けた一対の支持片５０ｃの厚さ方向の長さ（突出長さ）よりも長くして一対の支持片５０ｃ間の厚さ方向の間隔を同一としてある。
これによって、アタッチメント５１を同一のものを用いることができる。
【００２１】
前記意匠縦材２１と上横材２３、下横材２４は図４に示すように固着具５４で固着して連結される。
例えば、連結金具５５を意匠縦材２１の凹部５０の底面５０ｂと隣接した中空部に設け、この連結金具５５から固着具５４としての一対のビスを挿通して図５に示す上下横材２３，２４の一対のビスホール５６にそれぞれ螺合して連結する。
【００２２】
次に、各部材の好ましい形状を説明する。
前記機能縦框３０は図３に示すように、正面板３２（正面３０ｂ）と背面板３３（背面３０ｃ）と一端連結板３４（凹部３１の底面３１ｂ）と他端連結板３５で中空部３６を有した矩形断面中空形状の長尺材で、アルミ押出形材を用いている。
この機能縦框３０の上下部には中空部３６を閉塞するキャップがそれぞれ設けてある。このキャップは図４に示すように前述の第２連結金具４２に螺合したビス３７で固着される。
前記意匠縦材２１は図３に示すように、正面板６０（正面２１ｂ）と背面板６１（背面２１ｃ）と一端連結板６２（凸部２７）と他端連結板６３（凹部５０の底面５０ｂ）で中空部６４を有する矩形断面中空形状の長尺材で、アルミ押出形材を用いている。
この意匠縦材２１の上下部には中空部６４を閉塞するキャップがそれぞれ設けてある。このキャップは図４に示すように前記第１連結金具４１に螺合したビス６５で固着される。
【００２３】
前記上横材２３は図５に示すように正面板７０と背面板７１と上連結板７２と下連結板７３（凹部５０の底面５０ｂ）で中空部７４を有する矩形中空形状の長尺材で、アルミ押出形材を用いている。前記上下連結板７２，７３にビスホール５６が形成してある。
前記下横材２４は上横材２３と同一形状で、その上横材２３を上下反転したものである。
【００２４】
前述の中間意匠部材２０は前述の大きさ、形状に限ることはなく、任意の大きさ、形状とすることができる。
例えば、図６に示すように左右の意匠縦材２１間に上横材２３と中間横材２８と下横材２４を連結して複数の開口部２５を有し、その開口部２５にパネル２６を装着したものでも良い。
または、図７に示すように左右の意匠縦材２１間に複数の縦材２９を接合して設けたものでも良い。
【００２５】
前述の中間意匠部材２０は図８に示すように、１つの意匠縦材２１と上横材２３と下横材２４とパネル２６で構成しても良い。この場合には上横材２３と下横材２４を一方の機能縦框３０に連結し、その一方の機能縦框３０と意匠縦材２１と上横材２３と下横材２４で開口部２５とし、その開口部２５にパネル２６を装着する。
要するに、中間意匠部材２０は扉の縦方向全長に亘る長さの少なくとも１つの意匠縦材２１を有するものであれば良い。
また、機能縦框３０の正面３０ｂ、背面３０ｃと意匠縦材２１の正面２１ｂ、背面２１ｃを幅方向全長に亘って面一としたが、一部分のみを面一としたり、正面と背面の一方を面一としても良いし、面一ではなく段差を有するようにしても良い。なお、機能縦框３０と意匠縦材２１の境目４位置のみにおいて、両者の正面、背面の境目４側端部の厚さ方向の位置（見込み方向の位置）を同じにしても良い。
【００２６】
以上の説明ではドア枠に扉を取付けしたドアとしたが、窓枠に障子を開閉自在に取付けた窓、枠に戸を開閉自在に取付けた引き戸、開き戸などにも適用できる。
【図面の簡単な説明】
【００２７】
【図１】本発明の実施の形態を示す建具の正面図である。
【図２】中間意匠部材と機能縦框を分離した状態の扉の正面図である。
【図３】扉のパネル装着部分の横断面図である。
【図４】扉の横材連結部分の横断面図である。
【図５】扉のパネル装着部分の縦断面図である。
【図６】扉の第２の実施の形態を示す正面図である。
【図７】扉の第３の実施の形態を示す正面図である。
【図８】扉の第３の実施の形態を示す正面図である。
【符号の説明】
【００２８】
１…建具枠（ドア枠）、２…建具体（扉）、４…境目、２０…中間意匠部材、２１…意匠縦材、２２…意匠部、２３…上横材、２４…下横材、２７…凸部、３０…機能縦框、３１…凹部。
【図１】
2008038553.tif 000003
【図２】
2008038553.tif 000004
【図３】
2008038553.tif 000005
【図４】
2008038553.tif 000006
【図５】
2008038553.tif 000007
【図６】
2008038553.tif 000008
【図７】
2008038553.tif 000009
【図８】
2008038553.tif 000010